(57)【要約】【課題】受信装置とは別個にチューナ装置が備えられている受信システムに好適に対応でき、また、映像表示装置の構成を簡易なものとすることができる、受信装置を提供する。【解決手段】高周波信号が中間周波数信号に変換された信号を入力信号とし、該入力信号を映像・音声信号に変換する受信装置であって、入力信号を圧縮されたデジタル信号に変換するデジタル復調部と、デジタル復調部から出力される圧縮されたデジタル信号を、デジタル映像・音声信号に変換するデジタル回路部と、デジタル回路部から出力されるデジタル映像・音声信号を、アナログ映像・音声信号に変換する映像音声出力回路と、を備えており、デジタル復調部、デジタル回路部、および映像音声出力回路は、各々基板上に配置され、外部に接する全面は、シャーシに覆われている受信装置とする。【選択図】図１
2008131359.tif 000002
【特許請求の範囲】
【請求項１】
アンテナで受信された高周波信号が中間周波数信号に変換された信号を入力信号とし、該入力信号を映像・音声信号に変換する受信装置であって、
前記入力信号を圧縮されたデジタル信号に変換するデジタル復調部と、
前記デジタル復調部から出力される圧縮されたデジタル信号を、デジタル映像・音声信号に変換するデジタル回路部と、
前記デジタル回路部から出力されるデジタル映像・音声信号を、アナログ映像・音声信号に変換する映像音声出力回路と、を備えており、
前記デジタル復調部、前記デジタル回路部、および前記映像音声出力回路は、各々基板上に配置され、
外部に接する全面は、シャーシに覆われていることを特徴とする受信装置。
【請求項２】
アンテナで受信された高周波信号が中間周波数信号に変換された信号を入力信号とし、該入力信号を映像・音声信号に変換する受信装置であって、
前記入力信号を圧縮されたデジタル信号に変換するデジタル復調部と、
前記入力信号を音声中間周波数信号に変換する中間周波数処理回路部と、
前記デジタル復調部から出力される圧縮されたデジタル信号を、デジタル映像・音声信号に変換するデジタル回路部と、
前記デジタル回路部から出力されるデジタル映像・音声信号を、アナログ映像・音声信号に変換する映像音声出力回路と、を備えており、
前記デジタル復調部、前記デジタル回路部、および前記映像音声出力回路は、各々基板上に配置され、
外部に接する全面は、シャーシに覆われていることを特徴とする受信装置。
【請求項３】
デジタル放送波を受信して、映像信号および音声信号に変換し、これらの信号に基づいた映像表示および音声出力を行う受信システムであって、
アンテナで受信された高周波信号を中間周波数信号に変換するチューナと、
請求項１または請求項２に記載の受信装置と、
前記受信装置から出力されるアナログ映像・音声信号に基づいて、映像表示および音声出力処理を行う映像表示装置と、
を備えたことを特徴とする受信システム。
【請求項４】
圧縮された映像および音声情報に係るデジタル信号が変調されてなる、高周波の変調信号を受信し、該変調信号を中間周波数の変調信号に変換して出力するチューナと；
前記中間周波数の変調信号に復調処理を施し、前記圧縮された映像および音声情報に係るデジタル信号を取得するデジタル復調部と、該圧縮を解除するデジタル回路部と、該圧縮の解除された前記映像および音声情報に係るデジタル信号を、該映像および音声情報に係るアナログ信号に変換する、映像音声出力回路と、を備え、前記デジタル復調部、前記デジタル回路部、および前記映像音声出力回路は、各々共通の基板上に配置されているとともに、シャーシによって覆われている受信装置と；
前記アナログ信号に基づいて、映像表示および音声出力処理を行う映像表示装置と；
を備えていることを特徴とする受信システム。
【発明の詳細な説明】
【技術分野】
【０００１】
本発明は、デジタルテレビジョン放送などによる高周波信号を受信する、受信装置ならびに受信システムに関する。
【背景技術】
【０００２】
従来の受信システムの概略的構成を示すブロック図の一例を、図５に示す。図５に示される受信システム９００は、高周波信号を受信するアンテナ９０１と、アンテナ９０１で受信された信号に所定の処理を施して所望の信号を取得するための受信装置９０２と、受信装置９０２で取得された信号に所定の処理を施して映像信号ならびに音声信号を取り出す映像表示装置９０３とで構成される。
【０００３】
受信装置９０２は、アンテナ９０１で受信された高周波信号を中間周波数信号に変換するチューナ回路部９１１と、チューナ回路部９１１から出力される中間周波数信号を圧縮されたデジタル信号に変換するデジタル復調部９１２と、チューナ回路部９１１およびデジタル復調部９１２に動作用電源を与える電源部９１３と、を備える。また、デジタル復調部９１２は、中間周波数信号をデジタル変換するための処理ＩＣであるデジタル復調ＩＣ９１４を備える。
【０００４】
映像表示装置９０３は、受信装置９０２から与えられる圧縮されたデジタル信号からデジタル映像・音声信号に変換するデジタル回路部９２１と、デジタル回路部９２１から出力されるデジタル映像・音声信号をアナログの映像・音声信号に変換する映像音声出力回路９２２と、映像音声出力回路９２２から出力されるアナログの映像信号に基づいて映像を表示する処理を行う表示処理部９２４と、映像音声出力回路９２２から出力されるアナログの音声信号に基づいて音声を出力する処理を行う音声処理部９２３と、デジタル回路部９２１、映像音声出力回路９２２、表示処理部９２４および音声処理部９２３に動作用電源を与える電源部９２５と、を備える。
【０００５】
また、デジタル回路部９２１は、圧縮されたデジタル信号から映像信号および音声信号を抽出するための映像音声処理ＩＣ９２８と、映像音声処理を行う際に一時的に処理データを格納する映像音声処理メモリ９２６と、受信装置の制御コードを格納するプログラム用メモリ９２７とを備える。
【０００６】
また、このシステムにおいて、不要輻射、ノイズ、発熱などに対する問題を解決するため、図６に示すような構成とすることも考えられる。当該受信システムでは、表示処理部や音声処理部を含む映像表示装置４を、受信装置３とは別個に設けることとしている。
【特許文献１】特開２０００−６８６７３号公報
【発明の開示】
【発明が解決しようとする課題】
【０００７】
図５に示すような従来構成の受信システム９００は、受信装置９０２を電磁的に遮蔽するためにシールドで覆う一方、映像表示装置９０３の基板上に映像音声処理ＩＣ９２８、映像音声処理メモリ９２６、プログラム用メモリ９２７、映像音声出力回路９２２、表示処理部９２４、音声処理部９２３を実装しており、部品および配線数が多くなるため映像表示装置９０３の基板を多層基板にする必要があった。
【０００８】
また、映像表示装置９０３の基板上に実装される、映像音声処理ＩＣ９２８、映像音声処理メモリ９２６、プログラム用メモリ９２７、映像音声出力回路９２２、表示処理部９２４、音声処理部９２３から発生する不要輻射やノイズ対策を映像表示装置９０３上で行う必要があり、これに伴ってシールドを追加する必要があった。
【０００９】
また、映像表示装置９０３の基板上に実装される、映像音声処理ＩＣ９２８、映像音声処理メモリ９２６、プログラム用メモリ９２７、映像音声出力回路９２２、表示処理部９２４、音声処理部９２３からの発熱対策として、基板の面積を大きくしたり、放熱板を追加したりする必要があった。
【００１０】
これらの問題を解決するために、先述の通り、図６に示すような受信システムが考えられるが、当該システムにおける受信装置は、アンテナで受信した高周波信号を中間周波数信号に変換するチューナ回路部をも、一体的に含む構成となっている。そのため、受信システムにおいてチューナ回路部に相当する装置（以下、「チューナ装置」とする）が別個に備えられており、このチューナ装置を利用する場合には、受信装置が備えているチューナ回路部は不要となる。例えば、チューナ装置が搭載されている旧来の受信システムに受信装置を組み込む場合では、受信装置が備えているチューナ回路部は不要となる。
【００１１】
そこで本発明は上記の問題点に鑑み、受信装置とは別個にチューナ装置が備えられている受信システムに好適に対応でき、また、映像表示装置の構成を簡易なものとすることができる、受信装置ならびに受信システムの提供を目的とする。
【課題を解決するための手段】
【００１２】
上記目的を達成するため、本発明に係る受信装置は、アンテナで受信された高周波信号が中間周波数信号に変換された信号を入力信号とし、該入力信号を映像・音声信号に変換する受信装置であって、前記入力信号を圧縮されたデジタル信号に変換するデジタル復調部と、前記デジタル復調部から出力される圧縮されたデジタル信号を、デジタル映像・音声信号に変換するデジタル回路部と、前記デジタル回路部から出力されるデジタル映像・音声信号を、アナログ映像・音声信号に変換する映像音声出力回路と、を備えており、前記デジタル復調部、前記デジタル回路部、および前記映像音声出力回路は、各々基板上に配置され、外部に接する全面は、シャーシに覆われている構成（第１の構成）とする。
【００１３】
本構成によれば、高周波信号が中間周波数信号に変換された信号を入力信号とすることにより、別途設けられているチューナ装置を利用することができ、さらには、このチューナ装置の近くに設置されることにより、容易にデジタル映像・音声信号を取り出すことが可能となる。
【００１４】
またデジタル回路部、映像音声出力回路が受信装置側に実装されていることで、映像表示装置側の構成を簡易なものとすることが可能となる。またデジタル変調部およびデジタル回路部を含む本受信装置がシャーシに覆われた構成となっているため、シャーシの外部に設置されているチューナ回路装置に、デジタルノイズが混入することを極力防止することが可能となる。
【００１５】
また本発明に係る受信装置は、アンテナで受信された高周波信号が中間周波数信号に変換された信号を入力信号とし、該入力信号を映像・音声信号に変換する受信装置であって、前記入力信号を圧縮されたデジタル信号に変換するデジタル復調部と、前記入力信号を音声中間周波数信号に変換する中間周波数処理回路部と、前記デジタル復調部から出力される圧縮されたデジタル信号を、デジタル映像・音声信号に変換するデジタル回路部と、前記デジタル回路部から出力されるデジタル映像・音声信号を、アナログ映像・音声信号に変換する映像音声出力回路と、を備えており、前記デジタル復調部、前記デジタル回路部、および前記映像音声出力回路は、各々基板上に配置され、外部に接する全面は、シャーシに覆われている構成（第２の構成）とする。
【００１６】
本構成によれば、アンテナで受信された高周波信号が中間周波数信号に変換された信号を入力信号とすることにより、別途設けられているチューナ回路装置を利用することができ、さらには、このチューナ回路装置の近くに設置されることにより、容易にデジタル映像・音声信号を取り出すことが可能となる。
【００１７】
またデジタル回路部、映像音声出力回路が受信装置側に実装されていることで、映像表示装置側の構成を簡易なものとすることが可能となる。またデジタル変調部およびデジタル回路部を含む本受信装置がシャーシに覆われた構成となっているため、シャーシの外部に設置されているチューナ回路装置に、デジタルノイズが混入することを極力防止することが可能となる。
【００１８】
また更に、中間周波数信号を音声中間周波数信号に変換する中間周波数処理回路部を備えていることで、音声中間周波数信号の復調回路を備える映像表示装置に対しても電気的に接続を行うことが可能である。
【００１９】
また本発明の受信システムは、デジタル放送波を受信して、映像信号および音声信号に変換し、これらの信号に基づいた映像表示および音声出力を行う受信システムであって、アンテナで受信された高周波信号を中間周波数信号に変換するチューナと、上記第１または第２の構成に係る受信装置と、前記受信装置から出力されるアナログ映像・音声信号に基づいて、映像表示および音声出力処理を行う映像表示装置と、を備えた構成（第３の構成）とする。
【００２０】
本構成によれば、上記第１または第２の構成に係る受信装置を用いて、デジタル放送波に係る映像・音声出力を実現することが可能となる。
【００２１】
また本発明の受信システムは、圧縮された映像および音声情報に係るデジタル信号が変調されてなる、高周波の変調信号を受信し、該変調信号を中間周波数の変調信号に変換して出力するチューナと；前記中間周波数の変調信号に復調処理を施し、前記圧縮された映像および音声情報に係るデジタル信号を取得するデジタル復調部と、該圧縮を解除するデジタル回路部と、該圧縮の解除された前記映像および音声情報に係るデジタル信号を、該映像および音声情報に係るアナログ信号に変換する、映像音声出力回路と、を備え、前記デジタル復調部、前記デジタル回路部、および前記映像音声出力回路は、各々共通の基板上に配置されているとともに、シャーシによって覆われている受信装置と；前記アナログ信号に基づいて、映像表示および音声出力処理を行う映像表示装置と；を備えている構成（第４の構成）とする。
【００２２】
本構成によれば、受信装置とは別途に設けられているチューナを利用することにより、受信装置自体に、チューナに相当する装置を設ける必要がない。そのため、受信装置をより簡易な構成とすることが可能である。
【００２３】
またデジタル回路部、映像音声出力回路が受信装置側に実装されていることで、映像表示装置側の構成を簡易なものとすることが可能となる。またデジタル変調部およびデジタル回路部を含む本受信装置がシャーシに覆われた構成となっているため、シャーシの外部に設置されているチューナ回路装置に、デジタルノイズが混入することを極力防止することが可能となる。
【発明の効果】
【００２４】
以上の通り本発明に係る受信装置によれば、高周波信号が中間周波数信号に変換された信号を入力信号とすることにより、別途設けられているチューナ装置を利用することができ、さらには、このチューナ装置の近くに設置されることにより、容易にデジタル映像・音声信号を取り出すことが可能となる。
【００２５】
またデジタル回路部、映像音声出力回路が受信装置側に実装されていることで、映像表示装置側の構成を簡易なものとすることが可能となる。またデジタル変調部およびデジタル回路部を含む本受信装置がシャーシに覆われた構成となっているため、シャーシの外部に設置されているチューナ回路装置に、デジタルノイズが混入することを極力防止することが可能となる。
【発明を実施するための最良の形態】
【００２６】
本発明に係る受信システムの実施形態について、実施例１と実施例２を挙げて以下に説明する。
【００２７】
［実施例１］
まず本発明の実施例１に係る受信システムについて、各図面を参照しながら説明する。図１は、本発明の受信システムの概略的構成を示すブロック図である。
【００２８】
図１に示される受信システム１は、アンテナ２で受信された高周波信号を中間周波数信号（以下、「ＩＦ信号」と称する）に変換するチューナ回路部１１、チューナ回路部１１より出力されたＩＦ信号を入力信号として、映像信号と音声信号を取得するための受信装置３、および受信装置３から与えられる映像信号に基づいた映像表示あるいは音声信号に基づいた音声出力を行う映像表示装置４などから構成されている。
【００２９】
なお、アンテナ２で受信される高周波信号は、放送局から送信されるデジタル放送に係るものであり、ＭＰＥＧ等の規格により圧縮処理の施された映像・音声（映像および音声）情報に係るデジタル信号が変調されてなるものである。また、デジタル放送だけでなく、アナログ放送をも受信するようにしてもよい。
【００３０】
またＩＦ信号は、チューナ回路部１１と受信装置３が搭載されている基板表面もしくは裏面のストリップライン、もしくは基板内層のストリップラインより、受信装置３に入力される。受信装置３のインターフェース端子側は映像表示装置４に接続される。
【００３１】
受信装置３は、チューナ回路部１１から出力されるＩＦ信号を圧縮されたデジタル信号に変換するデジタル復調部１２と、デジタル復調部１２から出力される圧縮されたデジタル信号を、デジタル映像・音声信号に変換するデジタル回路部１３と、デジタル回路部１３から出力されるデジタル映像・音声信号をアナログの映像・音声信号に変換する映像音声出力回路１４と、チューナ回路部１１、デジタル復調部１２、デジタル回路部１３、および映像音声出力回路１４等に動作用電源を与える電源部１６などを備える。
【００３２】
なお、デジタル復調部１２は、ＩＦ信号をデジタル変換するための処理ＩＣであるデジタル復調ＩＣ２１を備える。また、デジタル回路部１３は、圧縮されたデジタル信号から映像信号および音声信号を抽出するための映像音声処理ＩＣ２４と、圧縮されたデジタルの映像信号、音声信号および復調したデジタルの映像信号、音声信号を保存する映像音声処理メモリ２２と、受信装置の制御コードを格納するプログラム用メモリ２３とを備える。また、チューナ回路部１１とデジタル復調ＩＣ２１とを制御するシリアル制御信号が、映像音声処理ＩＣ２４に与えられている。
【００３３】
映像表示装置４は、受信装置３から与えられるアナログの映像信号に基づいて映像表示処理を行う表示処理部３１と、アナログの音声信号に基づいて音声出力処理を行う音声処理部３２と、表示処理部３１および音声処理部３２に動作用電源を与える電源部３３と、を備える。
【００３４】
図２は、図１における受信装置３の実装を示す模式図であり、図２（ａ）は、受信装置３を一方の面（表面）から見た状態を示しており、図２（ｂ）は受信装置３を他方の面（裏面）から見た状態を示している。
【００３５】
図２（ａ）に示すように、受信装置３は基板６０に搭載された各ブロックより構成され、これらは、シャーシ７０により電磁的に遮蔽されている。なお、このシャーシ７０には、表面と裏面にそれぞれフタが取り付けられており、基板６０がシールドで覆われている。そのため、チューナ回路部１１および映像表示装置４にデジタルノイズが混入することを、防止することが可能となっている。
【００３６】
また基板６０には、デジタル復調部１２、デジタル回路部１３、映像音声出力回路１４、および電源部１６などが実装されている。
【００３７】
また基板６０の一辺には、コネクタ５６が備えられている。このコネクタ５６においては、チューナ回路部１１からのＩＦ信号を含めた入出力端子の他、デジタル復調部１２、デジタル回路部１３、映像音声出力回路１４、および電源部１６に関わる入出力端子がそれぞれ配線されている。また、コネクタ５６の端子のうち、デジタル復調部１２寄りにはＩＦ信号の入力端子（ＩＦ入力端子）が配置されており、このＩＦ入力端子からＩＦ信号が出力される。一方、コネクタ５６のうち、ＩＦ入力端子から離れた位置の端子には、映像音声出力回路１４の出力端子およびそのアース端子が配置されている。
【００３８】
このコネクタ５６は、基板６０の一辺に集中して配置されている。このような配置とすることにより、他の実装基板に対して基板６０を垂直に実装することが可能となる。さらには、このコネクタ５６をＬ字に曲げた構造にしてもよく、この場合には、他の実装基板に対して、平行に基板６０を実装することが可能となる。このような構造にすることにより、このコネクタ５６の形状を変えることで、実装基板に対して、垂直もしくは、平行に実装することが可能となる。
【００３９】
デジタル復調部１２とデジタル回路部１３とは、シールド板５２によって電磁的に遮蔽されている。また基板６０は多層基板が採用されているとともに、デジタル復調部１２に備えられるデジタル復調ＩＣ２１と、デジタル回路部１３に備えられる映像音声処理ＩＣ２４とを電気的に接続する配線が、内層パターン配置されている。これらの両ＩＣは、基板６０の同一面の離れた位置にそれぞれ実装されている。またデジタル復調ＩＣ２１および映像音声処理ＩＣ２４は、それぞれのＩＣパッケージが熱伝導体を介してシャーシ７０に接触している。そして、このデジタル復調部１２とデジタル回路部１３のデジタルアースパターンは、シャーシ７０に電気的に接続されている。
【００４０】
このとき、アースパターンとシャーシとの接続箇所については、基板６０の１辺のみに設けたものの他、複数の辺に設けた構成としてもよい。このようにすることで、シャーシとアースパターンとの間に接続点が増え、接続インピーダンスを小さくすることが可能となる。
【００４１】
デジタル回路部１３は、一方の面（表面）に映像音声処理ＩＣ２４が実装され、他方の面（裏面）に映像音声処理メモリ２２およびプログラム用メモリ２３が実装される構成である。そして、映像音声処理ＩＣ２４と、映像処理用メモリ２２およびプログラム用メモリ２３との間を電気的に接続する配線が内層パターン配置されている。
【００４２】
そして、デジタル復調部１２、デジタル回路部１３、および映像音声出力回路１４のそれぞれの電源端子が、コネクタ５６における、映像音声出力回路１４の出力端子とチューナ回路部１１のＩＦ入力端子との間に配置されている。
【００４３】
このような構成により、受信装置３の基板上には、デジタル回路部１３と映像音声出力回路１４とが実装されている。そのため映像表示装置４は、受信装置３から入力される映像信号を表示する表示処理部３１と、音声信号を音声出力する音声処理部３２を備えるのみでよく、多層基板にする必要がない。
【００４４】
なお従来の構成では、デジタル回路部に相当するものが映像表示装置に備えられていたため、映像音声処理ＩＣ、映像音声処理メモリ、およびプログラム用メモリなどから発生する不要輻射やノイズへの対策を映像表示装置側で行う必要があった。しかし本実施形態の構成によれば、受信装置内にデジタル回路部を備えることで、デジタル回路部を備えない構成の映像表示装置を利用することができるため、不要輻射やノイズへの対策を映像表示装置側で行う必要がない。
【００４５】
また、受信装置３の基板上に実装されているデジタル復調ＩＣ２１および映像音声処理ＩＣ２４は、それぞれ熱伝導体を介してシャーシ７０に接続させる構造としてもよい。このように本実施形態では、受信装置側でＩＣパッケージの発熱対策を行う一方、映像表示装置内にはＩＣパッケージを備える必要がないため、基板の面積を広げる、あるいは放熱板を追加するなどの発熱対策を映像表示装置側で行う必要がない。
【００４６】
また本実施形態の構成によれば、受信装置３は、アナログ回路で構成されるチューナ回路部１１に対して電磁的に遮断した構造となっている。そのため、デジタル復調部１２やデジタル回路部１３から発生するデジタルノイズが、チューナ回路部１１に混入するのを防止し、チューナ回路部１１の性能を劣化させない効果が得られる。
【００４７】
［実施例２］
本発明の別の実施形態（実施例２）に係る受信システムの構成を、図３に示す。なお本実施形態は、受信装置に中間周波数処理部を設けた点を除いては、基本的に先述の実施形態と同様であるため、重複した説明を省略する場合がある。
【００４８】
受信装置８１は、チューナ回路部１１より出力されたＩＦ信号を入力信号として、そのＩＦ信号を圧縮されたデジタル信号に変換するデジタル復調部１２、チューナ回路部１１から出力されるＩＦ信号を音声中間周波数信号（以下、「ＳＩＦ信号」と称する）に変換する中間周波数処理回路部１５、デジタル復調部１２から出力される圧縮されたデジタル信号をデジタル映像・音声信号に変換するデジタル回路部１３、デジタル回路部１３から出力されるデジタル映像・音声信号をアナログの映像・音声信号に変換する映像音声出力回路１４、および、チューナ回路部１１、デジタル復調部１２、デジタル回路部１３、映像音声出力回路１４および中間周波数処理回路部１５に動作用電源を与える電源部１６などを備える。
【００４９】
なお、図３に示される受信システム８０は、チューナ回路部１１、ＩＦ信号を入力信号として、映像信号と音声信号を取得するための受信装置８１、および受信装置５１から与えられる映像信号に基づいて映像を表示し、あるいは音声信号に基づいて音声を出力する処理を行う映像表示装置４などにより構成される。またＩＦ信号は、回路部１１と受信装置５１が搭載されている基板表面もしくは裏面のストリップライン、もしくは基板内層のストリップラインより、受信装置３に入力される。
【００５０】
受信装置３のインターフェース端子側は映像表示装置４に接続されている。デジタル復調部１２は、ＩＦ信号をデジタル変換するための処理ＩＣであるデジタル復調ＩＣ２１を備えている。中間周波数処理回路部１５は、ＩＦ信号をＳＩＦ信号に変換するための処理ＩＣである中間周波数処理ＩＣ２５を備えている。
【００５１】
またデジタル回路部１３は、圧縮されたデジタル信号から映像信号および音声信号を抽出するための映像音声処理ＩＣ２４、圧縮されたデジタルの映像信号、音声信号および復調したデジタルの映像信号、音声信号を保存する映像音声処理メモリ２２、および受信装置の制御コードを格納するプログラム用メモリ２３を備えている。また、チューナ回路部１１とデジタル復調ＩＣ２１とを制御するシリアル制御信号が映像音声処理ＩＣ２４に与えられている。
【００５２】
映像表示装置４は、受信装置３から与えられるアナログの映像信号に基づいて映像表示処理を行う表示処理部３１と、アナログの音声信号に基づいて音声出力処理を行う音声処理部３２と、表示処理部３１および音声処理部３２に動作用電源を与える電源部３３と、を備える。なお、音声処理部３２は、中間周波数処理回路部１５から入力されるＳＩＦ信号を復調するための復調回路を備える構成である。
【００５３】
図４は、図３における受信装置８１の実装を示す模式図であり、図４（ａ）は、受信装置８１を一方の面（表面）から見た状態を示しており、図４（ｂ）は受信装置８１を他方の面（裏面）から見た状態を示している。また図２で示した構造と同様に、受信装置８１はシャーシとシールドで覆われた構造になっており、外部とは電磁的に遮蔽された構造となっている。
【００５４】
また基板６０は、基板の一辺にコネクタ５６を備えており、このコネクタ５６において、チューナ回路部１１からのＩＦ信号の入力端子の他、基板に実装されているデジタル復調部１２、デジタル回路部１３、映像音声出力回路１４、中間周波数処理回路部１５、および電源部１６に関わる入出力端子がそれぞれ配線されている。
【００５５】
またコネクタ５６の端子のうち、デジタル復調部１２寄りの端子にはＩＦ信号の入力端子が配置されており、このＩＦ信号の入力端子からＩＦ信号が入力される。一方、コネクタ５６のうち、このＩＦ信号の入力端子から離れた位置の端子には映像音声出力回路１４の出力端子およびそのアース端子が配置されている。このコネクタ５６の配置は、図２に示したものと同様の配置となっている。
【００５６】
また、デジタル復調部１２とデジタル回路部１３とはシールド板５２によって電磁的に遮蔽されている。また基板６０は多層基板が採用されているとともに、デジタル復調部１２に備えられるデジタル復調ＩＣ２１と、デジタル回路部１３に備えられる映像音声処理ＩＣ２４とを電気的に接続する配線が内層パターン配置されている。
【００５７】
これらの両ＩＣは、基板６０の同一面の離れた位置にそれぞれ実装されている。また、デジタル復調ＩＣ２１および映像音声処理ＩＣ２４は、それぞれのＩＣパッケージが熱伝導体を介してシャーシ７０と接触している。そして、このデジタル復調部１２とデジタル回路部１３のデジタルアースパターンがシャーシ７０に電気的に接続されている。
【００５８】
デジタル回路部１３は、一方の面（表面）に映像音声処理ＩＣ２４が実装され、他方の面（裏面）に映像音声処理メモリ２２およびプログラム用メモリ２３が実装されている構成である。そして、映像音声処理ＩＣ２４と、映像処理用メモリ２２およびプログラム用メモリ２３との間を電気的に接続する配線が内層パターン配置されている。
【００５９】
そして、デジタル復調部１２、デジタル回路部１３、映像音声出力回路１４、および中間周波数処理回路部１５のそれぞれの電源端子が、コネクタ５６における、映像音声出力回路１４の出力端子とＩＦ信号入力端子との間に配置されている。
【００６０】
このような構成により、受信装置８１の基板上には、デジタル回路部１３と映像音声出力回路１４が実装されている。そのため映像表示装置４は、受信装置８１から入力される映像信号を表示する表示処理部３１と、音声信号を音声出力する音声処理部３２を備えるのみでよく、多層基板にする必要がない。
【００６１】
また従来の構成では、デジタル回路部１３に相当するものが映像表示装置に備えられていたため、映像音声処理ＩＣ、映像音声処理メモリ、およびプログラム用メモリなどから発生する不要輻射やノイズへの対策を、映像表示装置側で行う必要があった。しかし本実施形態の構成によれば、受信装置８１内にデジタル回路部１３を備えることで、デジタル回路部を備えない構成の映像表示装置を利用することができるため、これによって不要輻射やノイズへの対策を、映像表示装置側で行う必要がない。
【００６２】
さらに、受信装置８１内に、ＩＦ信号をＳＩＦ信号に変換信号に変換する中間周波数処理回路部１５を備えているため、ＳＩＦ信号の復調回路を備える映像表示装置に対して電気的に接続を行うことが可能である。
【００６３】
また、受信装置８１の基板上に実装されているデジタル復調ＩＣ２１および映像音声処理ＩＣ２４は、それぞれ熱伝導体を介してシャーシ７０に接続されている。そのため本実施形態では、ＩＣパッケージの発熱対策を行う一方、映像表示装置内にはＩＣパッケージを備える必要がないため、基板の面積を広げる、あるいは放熱板を追加するなどの発熱対策を映像表示装置側で行う必要がない。
【００６４】
また、本実施形態の構成によれば、受信装置８１は、アナログ回路で構成されるチューナ回路部１１に対して電磁的に遮断した構造となっている。そのためデジタル復調部１２やデジタル回路部１３から発生するデジタルノイズが、チューナ回路部１１に混入するのを防止し、チューナ回路部１１の性能が劣化しないという効果が得られる。
【産業上の利用可能性】
【００６５】
本発明は、デジタルテレビジョン放送を受信して受信映像を表示する受信システム等に対して好適に利用され得る。
【図面の簡単な説明】
【００６６】
【図１】本発明の実施例１に係る受信システムの構成図である。
【図２（ａ）】本発明の実施例１に係る受信装置基板の、表側面の構成図である。
【図２（ｂ）】本発明の実施例１に係る受信装置基板の、裏側面の構成図である。
【図３】本発明の実施例２に係る受信システムの構成図である。
【図４（ａ）】本発明の実施例２に係る受信装置基板の、表側面の構成図である。
【図４（ｂ）】本発明の実施例２に係る受信装置基板の、裏側面の構成図である。
【図５】従来の受信システムの一例に係る構成図である。
【図６】従来の受信システムに対し、不要輻射等の低減を図ったものの構成図である。
【符号の説明】
【００６７】
１    受信システム
２    アンテナ
３    受信装置
４    映像表示装置
１１    チューナ回路部（チューナ）
１２    デジタル復調部
１３    デジタル回路部
１４    映像音声出力回路
１５    中間周波数処理回路部
１６    電源部
２１    デジタル復調ＩＣ
２２    映像音声処理メモリ
２３    プログラム用メモリ
２４    映像音声処理ＩＣ
２５    中間周波数処理ＩＣ
３１    表示処理部
３２    音声処理部
３３    電源部
５２    シールド板
５６    コネクタ
６０    基板
７０    シャーシ
８０    受信システム
８１    受信装置
９００    受信システム
９０１    アンテナ
９０２    受信装置
９０３    映像表示装置
９１１    チューナ回路部
９１２    デジタル復調部
９１３    電源部
９１４    デジタル復調ＩＣ
９２１    デジタル回路部
９２２    映像音声出力回路
９２３    音声処理部
９２４    表示処理部
９２５    電源部
９２６    映像音声処理メモリ
９２７    プログラム用メモリ
９２８    映像音声処理ＩＣ
【図１】
2008131359.tif 000003
【図２（ａ）】
2008131359.tif 000004
【図２（ｂ）】
2008131359.tif 000005
【図３】
2008131359.tif 000006
【図４（ａ）】
2008131359.tif 000007
【図４（ｂ）】
2008131359.tif 000008
【図５】
2008131359.tif 000009
【図６】
2008131359.tif 000010